(57)【要約】【課題】本発明は、弁棒と弁体とを備えたポペット弁を有する燃焼機関、特にディーゼル燃焼機関のガス交換弁に関する。【解決手段】本発明は、弁棒は弁棒ガイドの貫通孔において直線的に移動可能にガイドされ、弁体の弁座面は弁座リングと協働しており、それによって閉じた状態では弁座面は弁座リングを押し、開いた状態では弁座面は弁座リングから持ち上げられている。本発明に従えば、弁棒と弁棒ガイドの貫通孔との間の間隙を密閉するために、温度耐性を有する材料たとえば金属製の材料又はセラミック製の材料から成る少なくとも１つのスライディングリングが、弁棒のノッチ又は弁棒ガイドのノッチに係合しており、１つ又はそれぞれのスライディングリングの厚みは、各スライディングリングが係合するノッチの幅よりも小さく、その結果、弁棒が動く際に潤滑剤が所定のポンプ作用によって、それぞれのスライディングリングを通過する。【選択図】図１
2012246932.tif 000002
【特許請求の範囲】
【請求項１】
燃焼機関のガス交換弁であって、弁棒と弁体とを備えたポペット弁を有しており、前記弁棒は弁棒ガイドの貫通孔において直線的に移動可能にガイドされ、前記弁体の弁座面は弁座リングと協働しており、それによって閉じた状態では前記弁座面は前記弁座リングを押し、開いた状態では前記弁座面は前記弁座リングから持ち上げられているガス交換弁において、
前記弁棒（１１）と前記弁棒ガイド（１０）の前記貫通孔（１２）との間の間隙（１３）を密閉するために、温度耐性を有する材料から成る少なくとも１つのスライディングリング（１５）が、前記弁棒（１１）のノッチ（１６）に係合しており、前記スライディングリング（１５）又は個々のスライディングリング（１５）の厚みは、それぞれの前記スライディングリング（１５）が係合する前記ノッチ（１６）の幅よりも小さく、その結果、前記弁棒（１０）が動く際に潤滑剤が所定のポンプ作用によって、それぞれの前記スライディングリング（１５）を通過し、
前記スライディングリング（１５）又は個々のスライディングリング（１５）が前記弁棒（１１）のノッチ（１６）に係合するとき、それぞれの前記スライディングリング（１５）の外径は前記弁棒ガイド（１０）の前記貫通孔（１２）の内径に相当し、それぞれの前記スライディングリング（１５）の内径はそれぞれの前記ノッチ（１６）のベース直径よりも大きいことを特徴とするガス交換弁。
【請求項２】
前記弁棒（１１）の外径が、前記弁棒ガイド（１０）の前記貫通孔（１２）の内径よりも小さいことを特徴とする請求項１に記載のガス交換弁。
【請求項３】
前記燃焼機関が、ディーゼル燃焼機関であることを特徴とする請求項１に記載のガス交換弁。
【請求項４】
前記温度耐性を有する材料が、金属製の材料又はセラミック製の材料であることを特徴とする請求項１に記載のガス交換弁。
【発明の詳細な説明】
【技術分野】
【０００１】
本発明は、請求項１のおいて書きに記載の燃焼機関、特にディーゼル燃焼機関のガス交換弁に関する。
【背景技術】
【０００２】
燃焼機関には、多数のガス交換弁が設けられている。ここで、燃焼機関のガス交換弁とは、特にガス交換弁を通過して燃焼機関のシリンダー内に過給空気を取り込み可能とされるか、又は燃焼機関のシリンダーから当該交換弁を通過して排ガスを排気可能とされるガス交換弁を指している。
【０００３】
従来から知られているガス交換弁には、弁棒と弁体とを備え、並進運動で移動可能なポペット弁が設けられている。ポペット弁の弁棒は、弁棒ガイドの貫通孔において直線的に移動可能にガイドされるか、又は軸受けされている。ポペット弁の弁体の弁座面は、弁座リングと協働しているので、ガス交換弁が閉じた状態では弁座リングを押圧しており、ガス交換弁が開いた状態では弁座リングから持ち上げられている。
【０００４】
従来から知られているガス交換弁では、弁棒と弁棒ガイドの貫通孔との間の間隙が、弾性材料から成る少なくとも１つのパッキンリングを備えた弁棒パッキンを介して密閉されている。その際、弁棒パッキンは、弁の磨耗を低減し、且つ、弁棒と弁棒ガイドとの間における滑動を可能にするために、一定量の潤滑剤を送り込む必要がある。
【０００５】
弁棒パッキンによって送り込まれる潤滑剤が少なすぎる場合には、潤滑剤が十分に作用しないことに起因して好ましくない混合摩擦が生じることがあり、当該混合摩擦によりポペット弁が動かなくことがある。これに対して、過剰な潤滑剤が弁棒パッキンを介して送り込まれた場合には、燃焼機関の排出値が上昇し、ポペット弁が炭化することがある。このため、上記の欠点を回避するガス交換弁が必要とされる。
【先行技術文献】
【特許文献】
【０００６】
【特許文献１】特開昭５９−０４９３０７号公報
【特許文献２】特開平０８−０２８３５０号公報
【特許文献３】特開平０９−１２５９２２号公報
【発明の概要】
【発明が解決しようとする課題】
【０００７】
本発明の解決すべき課題は、燃焼機関、特にディーゼル燃焼機関の新式のガス交換弁を提供することである。
【課題を解決するための手段】
【０００８】
この問題は、請求項１に記載のガス交換弁によって解決される。本発明によれば、弁棒と弁棒ガイドの貫通孔との間の間隙を密閉するために、例えば金属製の材料やセラミック製の材料のような耐熱性材料から成る少なくとも１つのスライディングリングが、弁棒のノッチ又は弁棒ガイドのノッチに係合しており、１つ又はそれぞれのスライディングリングの厚みは、各スライディングリングが係合するノッチの幅よりも小さく、その結果、弁棒が動く際に、潤滑剤が所定のポンプ作用によってそれぞれのスライディングリングを通過する。
【０００９】
本発明に係るガス交換弁においては、弁棒と弁棒ガイドの貫通孔との間の間隙は、例えば金属材料又はセラミック材料のような耐熱性材料から成る少なくとも１つのスライディングリングによって密閉される。当該スライディングリングは、弁棒のノッチ又は弁棒ガイドのノッチに係合し、当該係合は１つ又はそれぞれのスライディングリングのそれぞれの厚みが、各スライディングリングが係合するノッチの幅よりも小さくなるように行われる。これにより、弁棒が弁棒ガイドの貫通孔で動くと、潤滑剤のために所定のポンプ作用が実現し、その結果、一定量の潤滑剤が、１つ又はそれぞれのスライディングリングによって形成される弁棒パッキンを常に正確に通過することができる。
【００１０】
これにより潤滑剤が弁棒と弁棒ガイドとの間で十分に作用することが常に保証される。他方で、過剰な潤滑剤が弁棒パッキンを介して送り込まれることが防止される。
【００１１】
本発明の好ましいさらなる形態は、従属請求項と以下の詳細な説明からもたらされる。本発明の実施例は図に基づいて以下に詳述されるが、本発明はこれらの実施例に限定されるものではない。図に示されるのは、以下のとおりである。
［付記項１］
燃焼機関、特にディーゼル燃焼機関のガス交換弁であって、弁棒と弁体とを備えたポペット弁を有しており、前記弁棒は弁棒ガイドの貫通孔において直線的に移動可能にガイドされ、前記弁体の弁座面は弁座リングと協働しており、それによって閉じた状態では前記弁座面は前記弁座リングを押し、開いた状態では前記弁座面は前記弁座リングから持ち上げられているガス交換弁において、
前記弁棒（１１）と前記弁棒ガイド（１０）の前記貫通孔（１２）との間の間隙（１３）を密閉するために、例えば金属製の材料又はセラミック製の材料のような温度耐性を有する材料から成る少なくとも１つのスライディングリング（１５）が、前記弁棒（１１）のノッチ（１６）又は前記弁棒ガイドのノッチに係合しており、前記スライディングリング（１５）又は個々のスライディングリング（１５）の厚みは、それぞれの前記スライディングリング（１５）が係合する前記ノッチ（１６）の幅よりも小さく、その結果、前記弁棒（１０）が動く際に潤滑剤が所定のポンプ作用によって、それぞれの前記スライディングリング（１５）を通過することを特徴とするガス交換弁。
［付記項２］
前記弁棒（１１）の外径が、前記弁棒ガイド（１０）の前記貫通孔（１２）の内径よりも小さいことを特徴とする付記項１に記載のガス交換弁。
［付記項３］
前記スライディングリング（１５）又は個々のスライディングリング（１５）が前記弁棒（１１）のノッチ（１６）に係合するとき、それぞれの前記スライディングリング（１５）の外径は前記弁棒ガイド（１０）の前記貫通孔（１２）の内径に相当し、それぞれの前記スライディングリング（１５）の内径はそれぞれの前記ノッチ（１６）のベース直径よりも大きいことを特徴とする付記項１又は付記項２に記載のガス交換弁。
［付記項４］
前記スライディングリング又は個々のスライディングリングが前記弁棒ガイドのノッチに係合するとき、それぞれの前記スライディングリングの内径は前記弁棒の外径に相当し、それぞれの前記スライディングリングの外径はそれぞれの前記ノッチのベース直径よりも小さいことを特徴とする付記項１又は付記項２に記載のガス交換弁。
【図面の簡単な説明】
【００１２】
【図１】燃焼機関、特にディーゼル燃焼機関の本発明に係るガス交換弁の断面図である。
【図２】異なる状況下での図１の断面図の詳細である。
【図３】異なる状況下での図１の断面図の詳細である。
【図４】異なる状況下での図１の断面図の詳細である。
【発明を実施するための形態】
【００１３】
図１は、燃焼機関の本発明に係るガス交換弁の弁棒ガイド１０及び弁棒１１の領域における断面図であり、弁棒１１は弁棒ガイド１０の貫通孔１２において直線的に移動可能にガイドされるか、又は軸受けされている。
【００１４】
弁棒１１には、図示しない弁体が接触しており、弁棒と弁体とが一緒になってガス交換弁のポペット弁を形成している。ポペット弁の弁体の弁座面は、同様に図示しない弁座リングと協働しているので、閉じた状態では弁座リングを押圧しており、開いた状態では弁座リングから持ち上げられている。
【００１５】
図３及び図４を参照すると、弁棒１１の外径は弁棒ガイド１０の貫通孔１２の内径よりも小さいので、弁棒１１と弁棒ガイド１０との間には間隙１３が形成されている。
【００１６】
弁棒１１と弁棒ガイド１０との間の間隙１３は、弁棒パッキン１４を用いて密閉されている。図１を参照すると、弁棒１１の軸方向に縦に並列配置され、且つそれぞれが弁棒１１の各ノッチ１６に係合された３つのスライディングリングによって、弁棒パッキン１４が形成されている。図２〜図４は、弁棒１１のノッチ１６に係合しているスライディングリング１５の領域における図１の詳細図である。
【００１７】
上述のように、図２〜図４の実施例では、各スライディングリング１５が弁棒１１のノッチ１６に係合している。すなわちスライディングリング１５の厚み又は軸方向の延伸は、ノッチ幅又はノッチ１６の軸方向の延伸よりも小さくなっている。図２〜図４に表わす弁棒ガイド１０に対する弁棒１１の相対的な動きに応じて、ノッチ１６に対するスライディングリング１５の相対的位置が変化するので、所定のポンプ作用が潤滑剤に働き、一定量の潤滑剤が各スライディングリング１５を通過可能となる。
【００１８】
図２〜図４に表わすように、スライディングリング１５が弁棒１１のノッチ１６に係合した場合に、挿入された状態においてはスライディングリング１５の外径が弁棒ガイド１０の貫通孔１２の内径に相当するので、スライディングリング１５は弁棒ガイド１０の貫通孔１３に常に当接している。一方、スライディングリングの内径が各ノッチ１６のベース直径よりも大きいので、図２〜図４に表わすようにスライディングリング１５と各ノッチ１６との間には間隙が形成され、潤滑剤がポンプ作用によって間隙を通って誘導される。
【００１９】
各ノッチ１６の幅とスライディングリング１５の厚みとの差、及びスライディングリング１５の内径と各ノッチ１６のベース直径との差によって、各スライディングリング１５を通過する潤滑剤の量を一定に調節することができる。
【００２０】
本発明に関する重要なことは、スライディングリング１５が、エラストマ材料ではなく、例えば金属材料又はセラミック材料のような耐熱性材料から成ること、すなわち非エラストマ材料で構成されていることである。そのため、各スライディングリング１５は耐熱性を有しているので、シリンダーにすぐ近接して、すなわち燃焼機関の高温の燃焼ガスの直近で用いられることができる。
【００２１】
１つ又は複数のスライディングリングを弁棒ガイドの上部領域に設置することができることは言うまでもない。
【００２２】
図示された実施例とは異なって、１つ又は各スライディングリングが弁棒ガイドのノッチに係合している場合もある。この場合にも、１つ又は各スライディングリングの厚みは、各ノッチの幅よりも小さい。しかしながら、図示された実施例とは異なって、この場合には、各スライディングリングの内径が弁棒の外径に相当するので、スライディングリングは挿入された状態では弁棒に常に当接する。この場合には、各スライディングリングの外径は、弁棒ガイドの各ノッチのベース直径よりも小さい。
【００２３】
従って、本発明に係るガス交換弁では、弁棒ガイドの中の弁棒の潤滑は、例えば金属材料又はセラミック材料のような耐熱性材料から成る耐熱性を有する少なくとも１つのスライディングリングを通過可能な潤滑剤を用いて行われ、１つ又は各スライディングリングは、弁棒又は弁棒ガイドのノッチに係合しており、各スライディングリングの厚み又は軸方向の延伸は、各スライディングリングが係合しているノッチの幅又は軸方向の延伸よりも小さくなっている。
【００２４】
それにより、弁棒ガイド１０において弁棒１１が軸方向に動くとき、それぞれのノッチ内でスライディングリング１５が軸方向に往復運動することができ、それによって所定のポンプ作用が潤滑剤に生じるので、正確に一定量の潤滑剤を各スライディングリング１５を通過させることができる。
【符号の説明】
【００２５】
１０  弁棒ガイド
１１  弁棒
１２  貫通孔
１３  間隙
１４  弁棒パッキン
１５  スライディングリング
１６  ノッチ
【図１】
2012246932.tif 000003
【図２】
2012246932.tif 000004
【図３】
2012246932.tif 000005
【図４】
2012246932.tif 000006